(57)【要約】      （修正有）【課題】ディスク媒体に書き込まれたデータを適切に保護するディスク装置を提供する。【解決手段】ディスク装置は、ディスク媒体６とトップカバー３とを有する。ディスク媒体は、記録面を有する。トップカバーは、第１の部分３１と第２の部分３２と第３の部分と３３を有する。第１の部分は、ディスク媒体の中心側から記録面に沿って延在する面３１ｂを有する。第２の部分は、第１の部分の外周端部から記録面に対して遠ざかる方向に延在する面を有する。記録面は、第１のゾーン６ｄと第２のゾーン６ｃとを有する。第１のゾーンは、データが書き込み可能である。第２のゾーンは、第１のゾーンよりディスク媒体の外端側に設けられている。トップカバーの第１の部分の外周端部は、ディスク媒体の第１のゾーン及び第２のゾーンに対向するとともに第２のゾーンまで延在した平坦面を有する。【選択図】図６
2019046524.tif 000002
【特許請求の範囲】
【請求項１】
記録面を有するディスク媒体と、
前記ディスク媒体の中心側から前記記録面に沿って延在する面を有する第１の部分と、前記第１の部分の外周端部から前記記録面に対して遠ざかる方向に延在する面を有する第２の部分と、前記第２の部分が延在する方向の外周端部から前記ディスク媒体の記録面の面方向、かつ前記中心側から遠ざかる方向に延在する面を有する第３の部分とを有するトップカバーと、
を備え、
前記記録面は、  データが書き込み可能である第１のゾーンと、
前記第１のゾーンより前記ディスク媒体の外端側に設けられた第２のゾーンと、
を有し、
前記トップカバーの第１の部分の外周端部は、前記ディスク媒体の第１のゾーン及び第２のゾーンに対向するとともに前記第２のゾーンまで延在した平坦面を有する
ディスク装置。
【請求項２】
前記第１の部分は、前記第２のゾーンの外側まで延在した前記平坦面を有する
請求項１に記載のディスク装置。
【請求項３】
前記第１の部分は、前記第２の部分との境界付近に且つ前記平坦面の反対側の主面に凹部をさらに有する
請求項１又は２に記載のディスク装置。
【請求項４】
前記第１の部分は、
第１の厚さを有する第１の領域と、
前記第１の領域及び前記第２の部分の間に配され、前記第１の厚さより薄い第２の厚さを有する第２の領域と、
を有する
請求項１又は２に記載のディスク装置。
【請求項５】
前記ディスク媒体に近接して配されるランプ部材をさらに備え、
前記第２のゾーンの前記ディスク媒体の外端からの幅は、前記記録面に垂直な方向から透視した場合に前記ランプ部材が前記記録面に重なる位置に対応している
請求項１又は２に記載のディスク装置。
【請求項６】
前記第１の部分は、前記ディスク媒体の中心を間にして前記ランプ部材の反対側の位置において前記平坦面の反対側の主面内の前記第２の部分との境界付近の領域に凹部をさらに有する
請求項５に記載のディスク装置。
【請求項７】
前記ディスク媒体に近接して配されるスポイラをさらに備え、
前記第１の部分は、前記ディスク媒体の中心を間にして前記スポイラの反対側の位置において前記平坦面の反対側の主面内の前記第２の部分との境界付近の領域に凹部をさらに有する
請求項１又は２に記載のディスク装置。
【請求項８】
上面が前記第３の部分に対応した高さになるように前記第１の部分における前記平坦面の反対側の主面に配され前記主面に沿って延びた緩衝板をさらに備えた
請求項１から７のいずれか１項に記載のディスク装置。
【請求項９】
前記トップカバーは、板厚０．５ｍｍ以上の板材による曲げ形状を有し、
前記第１の部分と前記第２の部分との間における外曲げＲ値が１ｍｍ以下になっている
請求項１から８のいずれか１項に記載のディスク装置。
【発明の詳細な説明】
【技術分野】
【０００１】
本実施形態は、ディスク装置に関する。
【背景技術】
【０００２】
ディスク装置は、回転するディスク媒体の直上にヘッドが微小隙間をもって保持され、該ヘッドを通じてディスク媒体へデータが書き込まれたり、ディスク媒体からデータが読み出されたりする。このようにデータが書き込まれたり、書き込まれたデータが読み出されたりするため、前記ディスク媒体は、一般に筐体等によってその周囲が覆われ衝撃から保護されるように構成されている。しかしながら、衝撃時の状況や衝撃の程度によっては、書き込まれたデータを適切に保護することが出来ない場合がある。
【先行技術文献】
【特許文献】
【０００３】
【特許文献１】米国特許第６５２９４６１号明細書
【特許文献２】特開２００２−１２４０７６号公報
【特許文献３】米国特許第６９１７４９１号明細書
【発明の概要】
【発明が解決しようとする課題】
【０００４】
一つの実施形態は、ディスク媒体に書き込まれたデータを適切に保護できるディスク装置を提供することを目的とする。
【課題を解決するための手段】
【０００５】
一つの実施形態によれば、ディスク媒体とトップカバーとを有するディスク装置が提供される。ディスク媒体は、記録面を有する。トップカバーは、第１の部分と第２の部分と第３の部分とを有する。第１の部分は、ディスク媒体の中心側から記録面に沿って延在する面を有する。第２の部分は、第１の部分の外周端部から記録面に対して遠ざかる方向に延在する面を有する。第３の部分は、第２の部分が延在する方向の外周端部からディスク媒体の記録面の面方向、かつ中心側から遠ざかる方向に延在する面を有する。記録面は、第１のゾーンと第２のゾーンとを有する。第１のゾーンは、データが書き込み可能である。第２のゾーンは、第１のゾーンよりディスク媒体の外端側に設けられている。トップカバーの第１の部分の外周端部は、ディスク媒体の第１のゾーン及び第２のゾーンに対向するとともに第２のゾーンまで延在した平坦面を有する。
【図面の簡単な説明】
【０００６】
【図１】図１は、実施形態に係るディスク装置の構成を示す斜視図である。
【図２】図２は、実施形態に係るディスク装置の構成を示す断面図である。
【図３】図３は、実施形態におけるディスク媒体及びランプ部材の構成を示す拡大断面図である。
【図４】図４は、実施形態におけるディスク媒体の衝撃印加箇所を示す平面図である。
【図５】図５は、実施形態におけるトップカバーの構成を示す平面図である。
【図６】図６は、実施形態におけるトップカバーの構成を示す拡大断面図である。
【図７】図７は、実施形態の変形例におけるトップカバーの構成を示す拡大断面図である。
【発明を実施するための形態】
【０００７】
以下に添付図面を参照して、実施形態にかかるディスク装置を詳細に説明する。なお、この実施形態により本発明が限定されるものではない。
【０００８】
（実施形態）
実施形態に係るディスク装置１００について図１及び図２を用いて説明する。図１は、ディスク装置１００の構成を示す斜視図である。図２（ａ）は、ディスク装置１００の構成を示す断面図であり、図１に示すディスク装置１００をＡ−Ａ’線に沿って切った断面に対応する断面を示す。図２（ｂ）は、図２（ａ）における二点鎖線で囲った部分Ｂを拡大した拡大断面図である。図１及び図２において、各ディスク媒体６の回転軸に沿った方向をＺ方向とし、Ｚ方向に垂直な平面内でケース１の長手方向に沿った方向をＸ方向とし、Ｚ方向及びＸ方向に垂直な方向をＹ方向とする。
【０００９】
ディスク装置１００は、図１又は図２（ａ）に示すように、ケース（筐体）１、複数のディスク媒体６−１〜６−ｎ、複数のヘッド４、スピンドルモータ（Ｓｐｉｎｄｌｅ  Ｍｏｔｏｒ：  ＳＰＭ）５、キャリッジアッセンブリ８、ボイスコイルモータ（Ｖｏｉｃｅ  Ｃｏｉｌ  Ｍｏｔｏｒ：  ＶＣＭ）９、ランプ部材１０、基板ユニット１１、スポイラ１２、フィルタ１３、及び緩衝板１４を有する。
【００１０】
ケース１は、ベース２及びトップカバー３を有する。ベース２は、矩形箱型の形状を有し、内壁２ａ、開口２ｂ及び底壁２ｃを有している。内壁２ａにおける内壁面２ａ１は、ディスク媒体６−１〜６−ｎの外周に対応した曲面を形成している。開口２ｂは、ベース２におけるＺ方向に開口した箇所である。トップカバー３は、複数のねじによりベース２にねじ止めされ、ベース２の開口２ｂを閉塞する。
【００１１】
内壁面２ａ１は、概ね、ディスク媒体６−１〜６−ｎの外周の円弧と同心で、かつ、半径がディスク媒体６−１〜６−ｎの外周の円弧より大きい円弧形状に形成されていてディスク媒体６−１〜６−ｎの外周を覆う。
【００１２】
ケース１内には、複数のディスク媒体６−１〜６−ｎ、ＳＰＭ５、複数のヘッド４、キャリッジアッセンブリ８、ＶＣＭ９、ランプ部材１０、基板ユニット１１、スポイラ１２、フィルタ１３などが収容されている。
【００１３】
複数のディスク媒体６−１〜６−ｎは、ＳＰＭ５を介してＺ方向を回転軸として回転可能に支持されている。各ディスク媒体６は、ディスク媒体に記録されたサーボパターンにより同心円状に複数のトラックが規定される。例えば、ディスク媒体６の記録面６ａにおける複数のトラックを集合させた領域は、データゾーン（第１のゾーン）６ｄを構成する。データゾーン６ｄは、データが書き込み可能な領域であり、ヘッド４でアクセス可能な領域として規定されている（後述する、ディスク媒体と６とランプ部材１０の部分を拡大した図３の断面図を参照）。ディスク媒体６の記録面６ａにおける最外周のトラックの外側の領域は、無効ゾーン（第２のゾーン）６ｃを構成する。無効ゾーン６ｃは、データゾーン６ｄよりディスク媒体６の外端側に設けられている。無効ゾーン６ｃは、データが書き込み不可である領域であり、ヘッド４でアクセス不可である領域として規定されている。無効ゾーン６ｃのディスク媒体６の外端からの幅は、記録面６ａに垂直な方向から透視した場合にランプ部材１０が記録面６ａに重なる位置に対応している（後述する図３の断面図、図４の平面図を参照）。
【００１４】
ＳＰＭ５は、ディスク装置１００内に設けられたコントローラ（図示せず）とこのコントローラによって制御されるドライバ回路（図示せず）によって回転駆動制御が行われる。ヘッド４は、複数枚のディスク媒体６−１〜６−ｎの表側の記録面６ａ及び裏側の記録面６ｂ（後述の図３を参照）に対応して複数設けられている。複数のヘッド４は、それぞれに対応するディスク媒体６の表面（記録面６ａ）又は裏面（記録面６ｂ）に対向するように配置されている。各ヘッド４は、ディスク媒体６−１〜６−ｎに対してデータ等の書き込み及び読み出しを行う。キャリッジアッセンブリ８は、これらのヘッド４をディスク媒体６−１〜６−ｎに対して移動自在に支持する。キャリッジアッセンブリ８は、ＶＣＭ９により駆動される。ＶＣＭ９は、キャリッジアッセンブリ８をディスク半径方向に回動および位置決めするキャリッジ駆動機構を構成する。
【００１５】
ランプ部材１０は、図３に示すように、ディスク媒体６（６−１〜６−ｎのいずれか）に近接して配され、ディスク媒体６の記録面６ａ，６ｂに対応した（例えば、先端１０ａ，１０ｂが記録面６ａ，６ｂに沿った面１０ａ１，１０ｂ１と記録面に対して鋭角に傾斜した面１０ａ２，１０ｂ２とを有する）ランプ形状を有する。図３は、ディスク媒体６及びランプ部材１０の構成を示す断面図であり、図１に示すディスク装置１００をＣ−Ｃ’線に沿って切った断面に対応する断面を示す。ランプ部材１０は、ヘッド４がディスク媒体６にアクセスする必要のないアンロード時に、ヘッド４及びキャリッジアッセンブリ８をディスク媒体６から離間した退避位置に保持する。
【００１６】
図１に示す基板ユニット１１は、図示しないプリアンプ及びコントローラを有する。コントローラは、プリアンプを介してヘッド４によるディスク媒体６へのデータ等の書き込み及びディスク媒体６からのデータ等の読み出しを制御する。なお、特に図示しないが、ベース２の底壁２ｃの外面２ｃ１には、基板ユニット１１を介してＳＰＭ５、ＶＣＭ９、およびヘッド４の動作を制御するプリント回路基板がねじ止めされている。
【００１７】
スポイラ１２は、図１及び図２（ａ）に示すように、ディスク媒体６（例えば、６−１）に近接して配され、ディスク媒体６の記録面６ａから離間しつつ記録面６ａに沿ってＸＹ方向に延びている。これにより、スポイラ１２は、ディスク媒体６−１〜６−ｎの回転に伴う空気の流れを整え、ディスク媒体６−１〜６−ｎ近傍における風乱を低減させることができ、ディスク媒体６−１〜６−ｎがその回転に伴い振動するディスクフラッタを抑制できる。
【００１８】
フィルタ１３は、ディスク媒体６−１〜６−ｎに近接して配され、ディスク媒体６−１〜６−ｎの外周側面に沿ってＺ方向に延びている。これにより、フィルタ１３は、ケース１内の空気の流れやディスク媒体６−１〜６−ｎの側面近傍の空気の流れを利用してゴミを捕集する循環フィルタとして機能する。空気の流れでディスク媒体６−１〜６−ｎの各記録面近傍におけるゴミを捕集するため、フィルタ１３は、ディスク媒体６−１〜６−ｎの積層高さより高めの高さを有する。また、フィルタ１３は、機能的・スペース的な都合によりケース１内の角部付近に設けられる。
【００１９】
緩衝板１４は、トップカバー３の主面３１ａに配され、主面３１ａに沿ってＸＹ方向に延びている。緩衝板１４は、粘着剤（両面テープ材）ＢＤ（図６参照）を介してトップカバー３の主面３１ａに固定され得る。緩衝板１４は、ディスク媒体６−１〜６−ｎの回転に伴う振動及び／又は騒音を緩衝する。例えば、緩衝板１４を比重の大きい材料（例えば、ステンレス鋼（ＳＵＳ）又は銅）で形成することで大きな質量を確保し制振板及び吸音板として機能させることができる。
【００２０】
ディスク装置１００は、ディスク媒体６−１〜６−ｎの枚数（ｎ枚）を多くすることでその記憶容量をかせぐことができる。図２（ａ）では、ｎ＝７である場合が例示的に示されている。積層するディスク媒体６の枚数を増やすためには、ディスク媒体６の厚さを薄くすることが有効である。ヘッド４の位置決め精度を向上して記憶容量をかせぐためには、ディスク媒体６の枚数を増やしてディスク媒体６とヘッド４との距離を近づけやすくすることが有効である。ケース１の外観形状を（例えば、３．５インチフォームファクタを満たすように）コンパクトに維持しながらディスク媒体６の厚さを薄くし枚数を増やすと、ディスク媒体６とトップカバー３との隙間が減少する。また、ディスク媒体６の回転に伴う空気の流れを整える効果（シュラウド効果）を得るためにも、ディスク媒体６とトップカバー３との隙間を減少させることが要求される。このため、外部からケース１に衝撃が印加された時にディスク媒体６とトップカバー３とが接触しやすい。
【００２１】
例えば、ランプ部材１０及び／又はスポイラ１２はディスク媒体６に近接して設置されているため、外部からケース１に衝撃が印可された場合（例えば、ディスク装置１００がサーバーラックに収容される場合）に、図４に示すように、ディスク媒体６に最初に接触する可能性が高い。ランプ部材１０及び／又はスポイラ１２がディスク媒体６と接触することでディスク媒体６中心に関して対角となる位置Ｐ１０，Ｐ１２におけるディスク媒体６のＺ方向の揺れが最も大きくなりやすく、この位置Ｐ１０，Ｐ１２においてトップカバー３とディスク媒体６とが接触しやすい。
【００２２】
ここで、トップカバー３は、所定の材料で形成され得る。所定の材料は、剛性を確保するのに適した材料であり、例えば表１に示すように、ステンレス鋼（ＳＵＳ）を採用することができる。表１は、トップカバー３がステンレス鋼（ＳＵＳ）で形成されている場合における９０°曲げの外曲げＲ（曲げ形状における外側の曲率半径）と板厚との関係を示す。
【００２３】
【表１】
2019046524.tif 000003
【００２４】
トップカバー３は、緩衝板１４がコンパクトに実装されるとともにトップカバー３自身の剛性向上を目的として、図２（ａ）に示すように、板金加工で、すなわち所定の板材に絞り加工（曲げ加工）を行うことで形成され得る。また、トップカバー３に用いられる所定の板材の厚さは、トップカバー３の剛性を確保するために、所定の厚さ以上に厚くされる。
【００２５】
これにより、最上のディスク媒体６−１の記録面６ａに対向するトップカバー３の部分では、その絞り加工端部の外曲げＲが引張応力によって大きくなりやすい。例えば表１に示すように、０．８ｍｍ厚のトップカバー３の場合、外曲げＲは２ｍｍ程度以上のＲ形状（曲げ形状）である。
【００２６】
従って、このような場合、前記最上のディスク媒体６−１の記録面６ａに対向するトップカバー３の部分では、平坦面の外端位置がデータゾーン６ｄに対向した位置になりやすい。そのため、外部からケース１に印加される衝撃によりディスク媒体６が大きく揺れた際にディスク媒体６−１の記録面６ａがトップカバー３と接触する位置が、無効ゾーン６ｃより内周側のデータゾーン６ｄとなる可能性がある。ディスク媒体６−１の記録面６ａにおけるデータゾーン６ｄがトップカバー３に接触した場合、データゾーン６ｄが傷付き、或いは損傷などが発生して、データゾーン６ｄに記録されたデータが破壊される可能性がある。
【００２７】
尚、本実施形態において、平坦面は、凹凸のプレス加工や突起、窪みが設けられてないものであって、微視的に多少のアンジュレーションがあっても凡そ平坦な形状であればよいものとする。
【００２８】
そこで、本実施形態では、ディスク装置１００を、トップカバー３における最上のディスク媒体６−１の記録面６ａに対向する部分における平坦面の外端位置がデータゾーン６ｄの外端より外側になるように構成することで、ディスク媒体のデータゾーン６ｄの損傷を防止し、データの保護を図る。
【００２９】
具体的には、トップカバー３は、図２（ｂ）に示すように、部分（第１の部分）３１、部分（第２の部分）３２、部分（第３の部分）３３、部分３４、部分３５、部分３６、部分３７を有する。
【００３０】
部分３１は、ディスク媒体６の中心側から記録面６ａに沿って略ＸＹ方向に延在する面を有する。部分３２は、部分３１の外周端部から記録面６ａに対して遠ざかる方向（＋Ｚ方向）に延在する面を有する。部分３２は、部分３１の外端から＋Ｚ方向に折り曲げられている。部分３３は、部分３２が延在する方向の外周端部からディスク媒体６の記録面の面方向、かつ前記中心側から遠ざかる方向（−Ｘ方向）に延在する面を有する。部分３３は、部分３２における部分３１の反対側の端部から−Ｘ方向に折り曲げられている。部分３３の下面３３ｂは、フィルタ１３が当接され、フィルタ１３を固定している。
【００３１】
部分３４は、部分３３における部分３２の反対側の端部から内壁２ａに近づく方向（−Ｚ方向）に延びている。部分３４は、部分３３における部分３２の反対側の端部から−Ｚ方向に折り曲げられている。部分３５は、部分３４における部分３３の反対側の端部からディスク媒体６の中心に対して遠ざかる方向（−Ｘ方向）に延びている。部分３５は、部分３４における部分３３の反対側の端部から−Ｘ方向に折り曲げられている。
【００３２】
部分３６は、部分３１の内端から記録面６ａに対して遠ざかる方向（＋Ｚ方向）に延びている。部分３６は、部分３１の内端から＋Ｚ方向に折り曲げられている。部分３７は、部分３６における部分３１の反対側の端部からディスク媒体６の中心に対して近づく方向（＋Ｘ方向）に延びている。部分３７は、部分３６における部分３１の反対側の端部から＋Ｘ方向に折り曲げられている。
【００３３】
部分３６、部分３１、部分３２で囲まれた空間は、緩衝板１４の厚さに対応した深さを有する凹部となっている。例えば、その凹部に緩衝板１４が収容された状態において緩衝板１４の上面１４ａが部分３３に対応した高さになっており、緩衝板１４の上面１４ａと部分３３の上面３３ａとが均等な高さを有している。これにより、緩衝板１４がコンパクトに実装されている。
【００３４】
トップカバー３において、部分３１の少なくとも外周端部は、ディスク媒体６−１の記録面６ａにおけるデータゾーン６ｄ及び無効ゾーン６ｃに対向するとともに無効ゾーン６ｃまで延在した平坦面３１ｂを有する。例えば、部分３１は、ディスク媒体６−１の記録面６ａにおけるデータゾーン６ｄ及び無効ゾーン６ｃに対向するとともに無効ゾーン６ｃの外側まで（ディスク媒体６−１の外端まで）延在した平坦面３１ｂを有する。
【００３５】
この形状は、トップカバー３に用いる板材の厚さをトップカバー３の剛性確保に十分な厚さ（例えば、０．８ｍｍ厚）にした場合、表１に示されるように、部分３１と部分３２とを単純に折り曲げて形成すると、外曲げＲが大きくなり過ぎ形成することが困難である。
【００３６】
そのため、図５及び図６に示すように、トップカバー３に用いる板材にコイニング加工を施すことが有効である。図５は、トップカバー３の構成を示す平面図である。図６は、トップカバー３の構成を示す断面図であり、図２（ｂ）の二点鎖線で囲ったＥ部分を拡大した拡大断面図であり、図５の構成をＤ−Ｄ’で切った場合の断面を拡大した拡大断面図である。
【００３７】
トップカバー３における部分３１は、部分３２との境界付近に且つ平坦面３１ｂの反対側の主面３１ａに凹部３１ｃをさらに有する。凹部３１ｃは、トップカバー３に用いる板材の絞り加工（曲げ加工）を行う前又は行った後に、主面３１ａにおける部分３２との境界付近に相当する領域にコイニング加工を施すことで形成され得る。
【００３８】
図５に示すように、平面視において、部分３１は、ディスク媒体６−１の中心を間にしてランプ部材１０の反対側の位置Ｐ１０とディスク媒体６−１の中心を間にしてスポイラ１２の反対側の位置Ｐ１２とに凹部３１ｃを有することができる。
【００３９】
図６に示すように、断面視において、部分３１は、領域３１１及び領域３１２を有する。領域３１１は、部分３１における主要部を構成し得る。領域３１２は、領域３１１及び部分３２の間に配されている。
【００４０】
領域３１１及び領域３１２は、ディスク媒体６側の主面が互いに連続しておりベース２の底壁２ｃから略均等な高さを有する。領域３１１及び領域３１２は、ディスク媒体６の反対側の主面が互いに不連続である。領域３１１におけるディスク媒体６の反対側の主面の底壁２ｃからの高さは、領域３１２におけるディスク媒体６の反対側の主面の底壁２ｃからの高さより高くなっている。
【００４１】
領域３１１の厚さをＷ３１１とし、領域３１２の厚さをＷ３１２とすると、次の数式１が成り立つ。
Ｗ３１１＞Ｗ３１２・・・数式１
【００４２】
例えば、トップカバー３の板厚Ｔ≧０．５ｍｍで部分３１及び部分３２の間における外曲げＲが１ｍｍ以下になるように形成することで、ディスク媒体６の上下振動時に接触するトップカバー３における部位を平坦化できる。
【００４３】
本実施形態は、板厚を変更せずに外曲げＲを１ｍｍ程度に形成できるため、トップカバー３の剛性や静音性を落とさずに変更できる。また、本実施形態の形状は、高い曲げ精度と小さい内Ｒ（小さい内側の曲率半径）を得ることが出来るコイニング加工を施すことで実現可能である。すなわち、本実施形態の形状は、切削加工を省略しつつプレス加工（絞り加工、曲げ加工）で実現でき、安価で容易に形成が可能である。
【００４４】
以上のように、本実施形態では、ディスク装置１００を、最上のディスク媒体６−１の記録面６ａに対向するトップカバー３の部分の平坦面３１ｂの外端位置がデータゾーン６ｄの外端より外側になるように構成する。これにより、ディスク媒体６の上下振動時に接触するトップカバー３における部位を平坦化できる。すなわち、ディスク媒体６におけるトップカバー３への接触位置を記録面６ａにおけるデータゾーン６ｄの外側にすることができ、データゾーン６ｄでの接触を無くすことができ、データゾーン６ｄの損傷を防止できる。
【００４５】
また、本実施形態では、トップカバー３において、部分３１が、部分３２との境界付近に且つ平坦面３１ｂの反対側の主面３１ａに凹部３１ｃを有する。この凹部３１ｃは、コイニング加工で形成され得る。すなわち、平坦面３１ｂの外端位置がデータゾーン６ｄの外端より外側になるように構成するためのトップカバー３の外曲げＲ形状は、高い曲げ精度と小さい内Ｒを得ることが出来るコイニング加工を施すことで実現できる。これにより、切削加工を省略しつつプレス加工（絞り加工、曲げ加工）で実現でき、安価で容易に形成が可能である。また、簡単な構造であるため、特殊な製造設備も不要であり、低コストで実現可能である。
【００４６】
仮に、トップカバー３の板厚Ｔ＜０．５ｍｍである場合、トップカバー３の剛性が要求される剛性より低くなり、ケース１が把持された際にトップカバー３が凹んでディスク媒体６を加圧しディスク媒体６が破損する可能性がある。また、仮に、外曲げＲ形状が１ｍｍを超えている場合、トップカバー３における最上のディスク媒体６−１の記録面６ａに対向する部分における平坦面の外端位置がデータゾーン６ｄに対向した位置になりやすい。そのため、外部からケース１に印加される衝撃によりディスク媒体６が大きく揺れた際にディスク媒体６−１の記録面６ａがトップカバー３と接触する位置は、無効ゾーン６ｃより内周側のデータゾーン６ｄとなりやすい。ディスク媒体６−１の記録面６ａにおけるデータゾーン６ｄがトップカバー３に接触すると、データゾーン６ｄに傷付き等の損傷が発生しデータゾーン６ｄに記録されたデータが破壊される可能性がある。
【００４７】
それに対して、本実施形態では、例えば、トップカバー３が板厚０．５ｍｍ以上の板材による曲げ形状を有し且つ部分３１と部分３２との間における外曲げＲ値が１ｍｍ以下になっている。これにより、トップカバー３に要求される剛性を満たしながら、ディスク媒体６の上下振動時に接触するトップカバー３における部位を平坦化できる。すなわち、ディスク媒体６におけるトップカバー３への接触位置を記録面６ａにおけるデータゾーン６ｄの外側にすることができ、データゾーン６ｄでの接触を無くすことができ、データゾーン６ｄの傷付き防止が可能となる。
【００４８】
なお、トップカバー３ｉの加工方法の工夫により、要求される剛性を満たしながら、図７に示すように、トップカバー３ｉの外曲げＲ形状がコイニング加工無しで形成されてもよい。加工方法の工夫として、例えば、トップカバー３の曲げ形状と均等な形状（例えば、図７に示すトップカバー３ｉの断面形状）を炭素鋼等の鋳造で形成することやアルミナ・ジルコニア等のエンジニアリングセラミックスの紛体焼結で形成することなどが考えられる。これにより、トップカバー３ｉに要求される剛性を満たしながら実施形態と同様の外曲げＲが実現できれば、平坦面３１ｂｉの外端位置がデータゾーン６ｄの外端より外側になるように構成するためのトップカバー３ｉの外曲げＲ形状がコイニング加工無しで（主面３１ａｉにおける部分３２との境界近傍に凹部３１ｃを形成することなしに）実現できる。すなわち、部分３１ｉにおける領域３１２（図６参照）を省略し領域３１１ｉが部分３２近傍まで延びるように構成しても、平坦面３１ｂｉの外端位置がデータゾーン６ｄの外端より外側になるように構成できる。この結果、実施形態と同様に、データゾーン６ｄでのトップカバー３との接触を無くすことができ、データゾーン６ｄの損傷を防止できる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
３  トップカバー、６，６−１〜６−ｎ  ディスク媒体、１００  ディスク装置。
【図１】
2019046524.tif 000004
【図２】
2019046524.tif 000005
【図３】
2019046524.tif 000006
【図４】
2019046524.tif 000007
【図５】
2019046524.tif 000008
【図６】
2019046524.tif 000009
【図７】
2019046524.tif 000010